(57)【特許請求の範囲】
【請求項１】
外筒、可撓性受け座、針セット、内筒、可撓性閉鎖体及び抗圧力構造を含み、
該外筒は前方端開口部と後方端開口部を具え、
該可撓性受け座は該外筒の内壁に押し付けることができ、
該針セットは、針押さえと該針押さえに結合する針本体を含み、そのうち、該針押さえは該可撓性受け座と互いに結合し、
該内筒は前端、後端及び該前端と該後端の間に位置する中空筒身を具え、そのうち、該内筒の該前端は開口部を有し、該開口部の内径は該針押さえの外径より大きく、該内筒は該外筒の該後方端開口部から該外筒内に入れられることができ、
該可撓性閉鎖体は該内筒の該前端にある内壁に押さえつけられ、該内筒の該中空筒身は密閉空間として閉じられ、
抗圧力構造は該可撓性閉鎖体と互いにはまり合い、該抗圧力構造はネック部及び連結部を含み、該ネック部は該内筒より突出し、該ネック部の外側は該内筒の該開口部の該内径より大きく、該ネック部が該内筒の該前端に係止され、薬剤注射時に該ネック部は該可撓性閉鎖体が該内筒の該中空筒身内に滑り込むのを防ぎ、該連結部は該ネック部に接続され、該連結部は該針セットの該針押さえとの結合に用いられ、
該内筒が該外筒の該前方端開口部に近づく時、該連結部と該針セットの該針押さえは互いに結合し、且つ該抗圧力構造の該ネック部の該外側が縮減して該内筒の該前端内に至り、該可撓性受け座は該内筒の該前端による前向きの押し出し作用を受け、該針押さえとの結合が外れ、且つ該可撓性閉鎖体は該針押さえの抗力を受けて押し出され該内筒の該前端にある内壁を離れ、続いて該内筒の該中空筒身内に入り込むことを特徴とする安全注射器。
【請求項２】
上記該内筒の該中空筒身内にある密閉空間が低圧状態に置かれていることを特徴とする請求項１記載の安全注射器。
【請求項３】
当該抗圧力構造は該可撓性閉鎖体との結合に用いられる頭部を包含することを特徴とする、請求項１記載の安全注射器。
【請求項４】
当該抗圧力構造が該ネック部と該連結部により構成される分離部を含むことを特徴とする請求項３記載の安全注射器。
【請求項５】
該針セットの該針押さえは結合部を含み、該内筒が該外筒の該前方端開口部に近づく時、該抗圧力構造の該分離部は内向きに合わさり、該分離部の該連結部はそのため該針押さえの該結合部と結合し合い、更に該抗圧力構造は該針セットと結合し、また該抗圧力構造の該ネック部は外側が該内筒の該前端内にまで縮小することを特徴とする請求項４記載の安全注射器。
【請求項６】
該針セットの該針押さえが該針本体と結合するための連接部を含み、該針本体は該針押さえの該連接部から分離することができることを特徴とする請求項１記載の安全注射器。
【請求項７】
更に該外筒の前方端に位置する接合部を含み、該接合部は通じ穴を有し該外筒の該前方端開口部と通じ合い、そして該可撓性受け座と結合し合う該針押さえはそのため該接合部により支えられ、そのため該針押さえは該外筒の該前方端開口部と規定の距離を維持でき、該針本体は該接合部の通じ穴及び該外筒の該前方端開口部を突き抜けることを特徴とする請求項１記載の安全注射器。
【請求項８】
更に該外筒の前方端に位置する接合部を含み、該接合部は通じ穴を有し該外筒の該前方端開口部と通じ合い、そして該可撓性受け座と結合し合う該針押さえは該接合部により支えられるため、該針押さえは該外筒の該前方端開口部と規定の距離を維持でき、該針本体は該接合部の通じ穴を突き抜け、該針押さえの該連接部と結合していることを特徴とする請求項６記載の安全注射器。
【請求項９】
該接合部の内壁面に少なくとも一つの軌道があり、該接合部の該内壁面において、該軌道の末端に移動軌道が接続され、且つ該接合部の該内壁面において、該移動軌道の末端に係止部が設けられたこと特徴とする請求項８記載の安全注射器としている。
【請求項１０】
該針本体が該軌道に対応する引っ掛け構造を含み、該針本体は該軌道に沿って該接合部の該通じ穴を突き抜け、そして該移動軌道に沿って該針本体の該引っ掛け構造と該係止部が結合するようにしたことを特徴とする請求項９記載の安全注射器。
【発明の詳細な説明】
【技術分野】
【０００１】
本発明は一種の安全注射器であり、特に一種の低圧状態を用いて針セットを注射器内に回収する安全注射器に関わるものである。
【背景技術】
【０００２】
図１は従来の注射器を示した構造図である。従来の注射器では注射器構造１０に以下のものを含む：表面に目盛りがあり、内部に薬剤を収納できる外筒１００２、可撓性ゴム栓部１０４３を有する押し棒１００４、及び針セット１００３。外筒１００２は前方端に開口部を有し( 図中に表示なし) 、それにより針押さえ１０３０にあるネジ模様( 図中に表示なし) 付き針セット１００３が外筒１００２の前方端でねじり合う。注射針１０３１の後端は針押さえ１０３０をつきぬけ外筒１００２内部の空間と繋がっている。そして外筒１００２は後方端に断面積が比較的大きい開口部１０２４を有し、押し棒１００４が外筒１００２内部に入り込めるようになっている。可撓性ゴム栓部１０４３の外径は外筒１００２の内径より多少大きいので、後方から押し棒１００４に圧力がかかった時、すぐに薬剤が注射針１０３１の針穴から押し出て来られる( 又は押し棒１００４の後方から引張力がかかり、薬剤を外部から注射針１０３１の針穴を通って吸入できる) のである。
【０００３】
注射器が注射を終えた時、医師・看護担当者は手で針セット１００３を針ホルダーにはめ込んだ後回収しなければならない。一旦操作を誤れば、不注意で針の先端が刺さって負傷することもあり得、病気感染の可能性が高くなる。そのため、多くの医療器材業者では人手を要せず針を回収できる安全注射器の開発に全力を注いできたため、医師・看護担当者が感染する危険性が減少できるようになった。安全注射器では通常内部が中空の内筒を用い従来の注射器に見られる押し棒に取り替え、一種のメカニズムにより、内筒内で引力を発生させ、注射完了後針が自動的に内筒内に収納されるのに便利なようになっている。例えば特許文献１では、一種の安全注射針の構造が示されている。これは挟み具による挟み方式により針を挟み込み、内筒内にあるスプリングの弾力により注射完了時に針を自動的に内筒内に引き戻し、回収の目的が達せられるものである。
【０００４】
針をいかに自動的に回収するかは、安全注射器の研究開発では重要な課題の一つである。これは使用効果と製造コストに関わってくる問題である。上記のアメリカの特許では、スプリングを用いて引張力をもたらし針を回収することはそのうちの一種の解決方法である。しかし内筒内に設置されたスプリングの設計に関して言えば、１cc、２ccのように小さい注射器で使用する時は、製造・組立上の困難をもたらしてしまう。その上、一般の安全注射器には更に不便な部分がある。この種の安全注射器では針セットが通常製造・販売時に注射器に固定され、自由に取り出し交換することができないということである。そのため、安全注射器の針に問題があり使用できない時には、直接新しい注射器に換えなければならず、新しい針セットのみではこれに替えることができない。これにより医療機関の医療コストが増加してしまうのである。
【０００５】
【特許文献１】米国特許５３９５３３７号明細書
【発明の開示】
【発明が解決しようとする課題】
【０００６】
上記した従来の技術に関する説明では、従来の針と一般の安全注射器の欠点に鑑み、本発明では一種の安全注射器の構造をあらわし、上記に見られるもろもろの問題を解決する。
【０００７】
本発明の目的の一つは、一種の安全注射器の構造を提供し、内筒内の低圧吸引力により、針セットを内筒内に自動的に回収、収納することである。
【０００８】
本発明の次の目的は、注射の過程において内筒内の低圧吸引力を効果的に防ぎ止める一種の安全注射器を提供することである。
【０００９】
本発明の別の目的は、針本体を自由に交換できる一種の安全注射器を提供することである。従来の安全注射器が針の損傷により注射器全体を交換しなければならない医療面での浪費という問題が回避できる。
【００１０】
以上の目的により、本発明が提供する安全注射器の構成部品は以下のものを含む：外筒、可撓性受け座、針セット、内筒、可撓性閉鎖体及び抗圧力構造。そのうち外筒は前方端開口部と後方端開口部を有し、可撓性受け座は外筒の内壁に押さえつけられる。針セットは針押さえと針押さえと繋がっている針本体を含み、針押さえは上記の可撓性受け座と互いに結合できる。内筒は前端、後端及び上記の前端と後端の間にある中空筒身を有している。そしてそのうち内筒は前端に開口部を有し、この開口部の内径は針押さえの外径よりも大きい。内筒は外筒の後方端開口部から外筒内に入れ込まれる。上記の可撓性閉鎖体は内筒の前端にある内壁に押さえつけられ、内筒の中空筒身は密閉空間として閉じられる。抗圧力構造と可撓性閉鎖体は互いにはまり合い、上記の抗圧力構造は可撓性閉鎖体が薬剤注射時に内筒の中空筒身内に滑り込むのを防ぐのに用いられる。そのうち上記内筒の中空筒身内にある密閉空間は低圧状態に置かれている。
【００１１】
内筒が外筒の前方端開口部に近づく時、上記の抗圧力構造と針セットの針押さえは互いに結合する。可撓性受け座は内筒前端による前向きの押し出し作用を受け、針押さえとの結合が外れ、且つ可撓性閉鎖体は針押さえの抗力を受けて押し出され内筒前端の内壁を離れ、続いて内筒の中空筒身内に入り込む。
【課題を解決するための手段】
【００１２】
請求項１の発明は、外筒、可撓性受け座、針セット、内筒、可撓性閉鎖体及び抗圧力構造を含み、
該外筒は前方端開口部と後方端開口部を具え、
該可撓性受け座は該外筒の内壁に押し付けることができ、
該針セットは、針押さえと該針押さえに結合する針本体を含み、そのうち、該針押さえは該可撓性受け座と互いに結合し、
該内筒は前端、後端及び該前端と該後端の間に位置する中空筒身を具え、そのうち、該内筒の該前端は開口部を有し、該開口部の内径は該針押さえの外径より大きく、該内筒は該外筒の該後方端開口部から該外筒内に入れられることができ、
該可撓性閉鎖体は該内筒の該前端にある内壁に押さえつけられ、該内筒の該中空筒身は密閉空間として閉じられ、
抗圧力構造は該可撓性閉鎖体と互いにはまり合い、該抗圧力構造はネック部及び連結部を含み、該ネック部は該内筒より突出し、該ネック部の外側は該内筒の該開口部の該内径より大きく、該ネック部が該内筒の該前端に係止され、薬剤注射時に該ネック部は該可撓性閉鎖体が該内筒の該中空筒身内に滑り込むのを防ぎ、該連結部は該ネック部に接続され、該連結部は該針セットの該針押さえとの結合に用いられ、
該内筒が該外筒の該前方端開口部に近づく時、該連結部と該針セットの該針押さえは互いに結合し、且つ該抗圧力構造の該ネック部の該外側が縮減して該内筒の該前端内に至り、該可撓性受け座は該内筒の該前端による前向きの押し出し作用を受け、該針押さえとの結合が外れ、且つ該可撓性閉鎖体は該針押さえの抗力を受けて押し出され該内筒の該前端にある内壁を離れ、続いて該内筒の該中空筒身内に入り込むことを特徴とする安全注射器としている。
請求項２の発明は、上記該内筒の該中空筒身内にある密閉空間が低圧状態に置かれていることを特徴とする請求項１記載の安全注射器としている。
請求項３の発明は、当該抗圧力構造は該可撓性閉鎖体との結合に用いられる頭部を包含することを特徴とする、請求項１記載の安全注射器としている。
請求項４の発明は、当該抗圧力構造が該ネック部と該連結部により構成される分離部を含むことを特徴とする請求項３記載の安全注射器としている。
請求項５の発明は、該針セットの該針押さえは結合部を含み、該内筒が該外筒の該前方端開口部に近づく時、該抗圧力構造の該分離部は内向きに合わさり、該分離部の該連結部はそのため該針押さえの該結合部と結合し合い、更に該抗圧力構造は該針セットと結合し、また該抗圧力構造の該ネック部は外側が該内筒の該前端内にまで縮小することを特徴とする請求項４記載の安全注射器としている。
請求項６の発明は、該針セットの該針押さえが該針本体と結合するための連接部を含み、該針本体は該針押さえの該連接部から分離することができることを特徴とする請求項１記載の安全注射器としている。
請求項７の発明は、更に該外筒の前方端に位置する接合部を含み、該接合部は通じ穴を有し該外筒の該前方端開口部と通じ合い、そして該可撓性受け座と結合し合う該針押さえはそのため該接合部により支えられ、そのため該針押さえは該外筒の該前方端開口部と規定の距離を維持でき、該針本体は該接合部の通じ穴及び該外筒の該前方端開口部を突き抜けることを特徴とする請求項１記載の安全注射器としている。
請求項８の発明は、更に該外筒の前方端に位置する接合部を含み、該接合部は通じ穴を有し該外筒の該前方端開口部と通じ合い、そして該可撓性受け座と結合し合う該針押さえは該接合部により支えられるため、該針押さえは該外筒の該前方端開口部と規定の距離を維持でき、該針本体は該接合部の通じ穴を突き抜け、該針押さえの該連接部と結合していることを特徴とする請求項６記載の安全注射器としている。
請求項９の発明は、該接合部の内壁面に少なくとも一つの軌道があり、該接合部の該内壁面において、該軌道の末端に移動軌道が接続され、且つ該接合部の該内壁面において、該移動軌道の末端に係止部が設けられたこと特徴とする請求項８記載の安全注射器としている。
請求項１０の発明は、該針本体が該軌道に対応する引っ掛け構造を含み、該針本体は該軌道に沿って該接合部の該通じ穴を突き抜け、そして該移動軌道に沿って該針本体の該引っ掛け構造と該係止部が結合するようにしたことを特徴とする請求項９記載の安全注射器としている。
【発明の効果】
【００１３】
本発明である安全注射器を使うことで、医療関係者が手で針を回収して感染する危険にさらされないですむ。また本発明を先に述べたアメリカの特許と比較すると、低圧吸引の方式によりその他の物品( スプリング等) を消耗せずに引張力が生じることが分かる。まさに環境保護に立脚した実施方法と言えるだろう。また本発明の安全注射器は同時に各種の針セット構造に適応し、針本体が自由に交換でき、そのため毎回針が損傷を受けたら安全注射器全てを交換しなければならないという無意味な浪費が減少できるのである。本発明である安全注射器が比較的コスト削減になるばかりでなく、地球にも優しいもそのためである。
【発明を実施するための最良の形態】
【００１４】
図２及び図３は本発明の実施例による安全注射器構造の組み立て前と組み立て前後の断面図である。これらの主要な構成部品は以下のものを含む：外筒２、可撓性受け座３、針セット６、内筒５、可撓性閉鎖体８及び抗圧力構造７。そのうちそれぞれの主な構成部品の機能、互いの結合関係、及び図面のその他詳細の部品については以下の段落において紹介・説明を行う。
【００１５】
この実施例において、外筒２は垂直方向に配され、薬剤が収納できる中空筒身２０を有している。外筒２の前方端２１及び後方端２２はそれぞれ前方端開口部２１０と後方端開口部２２０を有する。そのうち外筒２の後方端開口部２２０が内筒５を中空筒身２０に収められるようになっている。注射を行う時、薬剤は外筒２の前方端開口部２１０の付近にある針セット６から注射器の外部に押し出される。
【００１６】
この実施例では、外筒２の前方端２１は接合部２１４を有すことができ、接合部２１４は通じ穴２１２を有し、外筒２の前方端開口部２１０と繋がっている。接合部２１４は外筒２と一体となって形成されることも、または分離可能な独立部品として外筒２の前方端２１に設置することもできる。これに関して本発明では制約を設けていない。
【００１７】
針セット６は針押さえ６０及び針押さえ６０に接合される針本体６２を含む。この実施例において、針本体６２は注射針である。好ましい可撓性受け座３では弾性素材であり、且つ可撓性受け座３は内部に上下方向に配される通し孔３１を有し、その内径は針押さえ６０の外径より僅かに小さく、針セット６の針押さえ６０が可撓性受け座３内部の通し孔３１できっちりと押さえ込まれているようになっている。そして針押さえ６０はそれにより可撓性受け座３と緊密に結合する。
【００１８】
この実施例において、上記の針セット６の針押さえ６０は可撓性受け座３との結合後、外筒２の後方端開口部２２０を通り外筒２の中空筒身２０内に組み込まれ、接合部２１４の上に置かれることができる。針セット６の針本体６２は、接合部２１４の通じ穴２１２及び外筒２の前方端開口部２１０を突き抜けることができるのである。しかも針セット６の針の頭部６３が前方端開口部２１０の外部に伸び、針セット６の針押さえ６０は接合部２１４により支えられる。そのため外筒２の前方端開口部２１０と共に一定の距離を維持できる。可撓性受け座３の通じ穴３１の内径の好ましいのは接合部２１４に等しいかこれよりも大きい外径がある。注射の過程で薬剤が外筒２の前方端から染み出るのを防ぐため、可撓性受け座３の比較的良好な状態は外筒２の内壁に緊密に付いている場合である。この実施例では、可撓性受け座３外周部の中間部に凹構造３２を有することができる。可撓性受け座３は外筒２の内壁に押さえつけられている時、可撓性受け座３の凹構造３２は外筒２の内壁と密閉型隙間３５ (図３参照) を形成する。その作用については本発明の運動原理を説明する時に後述する。現在はひとまずこの部分の説明を省略するが、本発明はこれに限定されるものではない。
【００１９】
本発明で提供する内筒５は従来見られる注射器の押し棒に代わるもので、内筒は前端５１、後端５２及び上記の前端５１と後端５２の間にある中空筒身５０を有している。そして内筒５は前端５１に前端開口部５１０を有する。内筒５は外筒２の後方端開口部２２０から外筒２の中空筒身２０内に入れ込まれ易いように、断面積が外筒２の後方端開口部２２０の断面積より小さくなければならない。また後に針セット６を内筒５の中空筒身５０内に回収され易いように、内筒５にある前端開口部５１０の内径は針押さえ６０の外径より大きくなければならない。
【００２０】
この実施例において、内筒５は後端５２に後端開口部５２０を有し、続いて内筒５の中空筒身５０が密閉空間になるように、上ブタ９を内筒５の後端５２に設置し、後端開口部５２０を密閉する。更に、上ブタ９は内筒５と一体をなすこともでき、または図２のように別々に設置することもできる。本発明ではこの部分を限定していない。
【００２１】
可撓性閉鎖体８は内筒５の前端５１にある内壁内で押さえつけられ、内筒５の中空筒身５０は密閉空間として閉じられる。内筒５にある中空筒身５０の内径は完全に一致していなくともよい。例えばこの実施例では、中空筒身は前端５１を徐々に縮小し、この内径が比較的後端にある筒壁の内径より狭くなる収縮部５３を形成している。また可撓性閉鎖体８は収縮部５３に位置してもよい。
【００２２】
この実施例では、内筒５の中空筒身５０内にある密閉空間は比較的良好な状況下では低圧状態にある。内筒５は上ブタ９または可撓性閉鎖体８を組み立てる時、中空筒身５０内の一部( 又は全部) の空気を抽出でき、その密閉空間内ではそのため低圧( または真空)状態が形成できるのである。低圧( または真空) 状態は続いて針セット６を回収する時吸引作用をもたらす力として用いられ、針セット６を内筒５の中空筒身５０内に吸収する。
【００２３】
注射の過程で薬剤が内筒−外筒間の隙間に流れ込むのを防ぐため、内筒５の前端外周部は環状突出部５４または可撓性ピストン４を含み、外筒２の内壁で直接きっちり押さえ込むのに用いる。そして更にきっちり結合するため、または可撓性ピストン４が簡単に脱落しないようにするため、可撓性ピストン４の内側には常に内向きに凹んでいる環状部４２があってもよい。そのため内筒５の前端外周部にある環状突出部５４にはまり込めるようになるのである。
【００２４】
薬剤を注射する過程において、内筒５が薬剤を押し出す時に発生する抗力も、または内筒５の中空筒身５０内にある低圧による吸引力も、両方とも可撓性閉鎖体８がその本来の位置( 例えば収縮部５３の場所) を滑って離れることができるようにしている。これに関して本発明は抗圧力構造７を提供し、注射の過程で可撓性閉鎖体８が内筒５の中空筒身５０に滑り込むのを防いでいる。この実施例では、抗圧力構造７は頭部７２、ネック部７３及び連結部７１を含む。そのうち頭部７２は可撓性閉鎖体８と結合でき、可撓性閉鎖体８と抗圧力構造７は連動した運動反応を生み出す。ネック部７３は頭部７２に接合され、内筒５の前端５１に押さえつけられ、可撓性閉鎖体８が内筒５の中空筒身５０内に滑り込むのを防ぐのである。また連結部７１はネック部７３と接合され、針セット６の針押さえ６０と結合する。
【００２５】
本発明の実施例では、抗圧力構造７はネック部７３と連結部７１により構成される分離部７４を少なくとも１つ含むことができる。抗圧力構造７の分離部７４は内筒５の前端５１外部に露出し、抗圧力構造７のネック部７３は内筒５の前端５１に押さえつけられている。この実施例では、抗圧力構造７が２つに分かれた分離部７４を含み、抗圧力構造７の連結部７１はネック部７３の前端にある突起物を例にしたが、しかし本発明はこれに限定するものではない。また抗圧力構造７も２つ以上に分かれた分離部７４を含むことができ、または抗圧力構造７の連結部７１が窪み状またはその他の大きさと形状の構造、あるいはネック部７３の側面等の場所を含むこともできる。
【００２６】
例を挙げれば、可撓性閉鎖体８は凹孔８１を有してもよく、また抗圧力構造７の頭部７２と互いにはまり合い、抗圧力構造７にある分離部７４のネック部７３が自然に広がる時には、ネック部７３両方にある外側の距離は内筒５の前端５１内径より多少大きくてもよい。ネック部７３はそのため内筒５の前端５１ (図３参照) で押さえつけられるのである。このようにして内筒５が外筒２の前方端２１に押し出され薬剤を注射する時、可撓性閉鎖体８は原位置を維持する。それは可撓性閉鎖体８が、薬剤が押し出されて発生する抗力に抵抗するために用いることができ、更には内筒５にある中空筒身５０内の低圧吸引力にも抵抗できるからである。
【００２７】
針セット６の針押さえ６０は、結合部を含む。この結合部は抗圧力構造７の分離部７４にある連結部７１との結合に用いる。また結合部は更に抗圧力構造７が針セット６と結合し、且つ抗圧力構造７の分離部７４にあるネック部７３外側の距離が、内筒５の前端５１内まで縮小する。この実施例では、抗圧力構造７の連結部７１はネック部７３の前端にある突起物に見られるようなものを例に挙げている。そのため針押さえ６０の結合部は例えば凹穴６４のようになるが、本発明ではこれに限定するものではない。針押さえ６０の結合部と抗圧力構造７の連結部７１の大きさと構造は相互に組み合わせる形で設計できる大し、乱流現象を減少させ、酸性水層流とアルカリ性水層流の分流に有利となる。
【００２８】
次に、図４から図７に基づき、本発明の実施例が提供する安全注射器の説明を行う。これらの図はそれぞれ注射、注射完了、及び針セット回収という各段階での部品の関連位置である。
【００２９】
図４では本発明の実施例が提供する安全注射器の薬剤注射時における各部品の関連位置を示している。この実施図では、可撓性受け座３は外周部の中間部に凹構造３２と外筒２の内壁による密閉型隙間３５を有することができる。そのため薬剤注射時には、可撓性受け座３は薬剤が押し出される圧力を受け下向きに押され、更に外筒２の内壁に更に密接に締め付けられ、薬剤が染み出るのを防いでいる。
【００３０】
図５を参照すること。内筒５が外筒２の前方端開口部２１０に近づき注射を完了する時、内筒５の前端５１は可撓性受け座３まで押し出されることができる。抗圧力構造７にある分離部７４の前端は内向きに合わさり、分離部７４の連結部７１と針押さえ６０の結合部が合わさるのである。この実施図では、突起物の連結部７１は針押さえ６０の凹穴６４に入り込み、更にそのため抗圧力構造７と針セット６が結合して、抗圧力構造７の分離部７４にあるネック部７３外側の距離が内筒５の前端５１内にまで縮小する。このようにして抗圧力構造７の抗圧機能は解除されるのである。抗圧力構造７の分離部７４は、例えば針押さえ６０または可撓性受け座３の内縁部にかけられた作用により内向きに合わさってもよい。または針押さえ６０が更にその凹穴６４の前の針押さえ６０の結合部にある凹状くぼみを含み、抗圧力構造７にある分離部７４の前端はそのため凹状くぼみの表面に沿って内向きに合わさるようにしてもよい。
【００３１】
使用者が内筒５に対し更に前方向に圧力をかけた時、針セット６の針押さえ６０が接合部２１４に支えられるため、針押さえ６０は外筒２の前方端開口部２１０と規定の距離を維持する。可撓性受け座３は内筒５の前端５１による前向きの押し出し作用を受け、外れ出て針押さえ６０と結合する。且つ同時に、可撓性閉鎖体８は針押さえ６０の抗力を受け押し出され内筒５の前端５１にある( 例えば収縮部５３のような) 内壁を離れる。そして図６が示すように内径が比較的狭い場所から比較的広い場所へ入り込むのである。
【００３２】
この実施図において、内筒５の中空筒身５０が低圧状態にあるため、可撓性閉鎖体８と抗圧力構造７が内径が比較的狭い収縮部５３から徐々に離れ、内径が比較的広い所に入った時、内筒５前端５１の内壁が可撓性閉鎖体８を押し出す半径方向への作用力が低下する。そして低圧の吸引力が一瞬にして可撓性閉鎖体８、抗圧力構造７及び抗圧力構造７と結合している針セット６を一括して内筒５の中空筒身５０内に入れ込み、図７のように針セットの自動回収過程全体が完成する。
【００３３】
可撓性受け座３、可撓性ピストン４及び可撓性閉鎖体８のような上記の可撓性部品は、製造面でゴムまたはその他の可撓性素材を用いることができる。抗圧力構造７は硬化樹脂、プラスチック素材等の素材を使用して実施できるが、本発明では厳格な規定を設けない。
【００３４】
以上の図４から図７に基づき、出願者は本発明である安全注射器の内部各部品が針セットの自動回収をなすための構成、運行操作方法を明確に把握している。しかし本発明は上記の実施方式に限定されるものではなく、実際製造に応用される時になされるいくつかの小さな修正も、本発明の趣旨から逸脱していないものでありうる。
【００３５】
本発明の別の目的は、針本体が自由に交換できる一種の安全注射器を提供することである。従来の安全注射器は針の損傷により注射器全体を交換しなければならないが、本発明によりこの医療面での浪費という問題が回避できる。図８から図１２は、本発明に基づく次の実施例が提供する、針本体が自由に交換可能な安全注射器の各部品間の関連断面図を示したものである。そのうち上記の実施例と同様の番号表示は同様の機能と類似した構造の部品を有していることを示す。そのため後述部分でもし発明の部分とそれほど関連性が無い場合は、特許明細書では改めて解説しない。まず図１２を参照いただきたい。これは本発明に基づく次の実施例が提供する、針本体が自由に交換可能な安全注射器の各部品間の関連断面図を示したものである。そのうち針セット６の針押さえ６０は、針本体６２と結合するための連接部６０１を含む。この実施図では、針押さえ６０の連接部６０１は例えば逆U 字型栓のようなものであってもよい。また針本体６２は取っ手部６２１と注射針６２２を含み、針本体６２は針押さえ６０の連接部６０１から分離されていてもよい。
【００３６】
図８は引っ掛け構造６２３を有する針本体６２を示している。この実施図では引っ掛け構造６２３は針本体６２の相対する両側に位置し、針本体６２の上方頂部は形状が漏斗に似た凹形くぼみ構造６２４を有し注射針６２２の通し穴と通じ合っている。そのため薬剤は凹形くぼみ構造６２４を通り、注射針６２２を通じて安全注射器の外部に流れ出る。
【００３７】
図９及び図１０をご覧いただきたい。本発明の次の実施例が提供する安全注射器は接合部２１４’内壁面に軌道２１４１を有する。図１０は軌道２１４１を有する接合部２１４’の拡大図である。この実施図では、接合部２１４’の内壁面は軌道２１４１の末端に接続された移動軌道２１４２を有している。そして移動軌道２１４２の末端に、例えば凹溝構造のような係止部２１４３を有する。針本体６２の引っ掛け構造６２３と接合部２１４’の軌道２１４１は互いに対応する。
【００３８】
使用者は針本体６２の取っ手部６２１を握り、引っ掛け構造６２３を接合部２１４’の軌道２１４１にはめ込むことができる。その後軌道２１４１の方向に沿って針本体６２に接合部２１４’の通じ穴２１２を突き抜けさせることができる。図１１から図１２までをご参照いただきたい。針本体６２は軌道２１４１に沿って上向きに移動し、その後再び縦軸を中心に、移動軌道２１４２に沿って回転する。そして引っ掛け構造６２３を接合部２１４’の係止部２１４３内にはめ込み、針本体６２の頂部を針押さえ６０の連接部６０１に密着させることができる。このようにして針セット６の組み合わせ手順が完成する。そして反対方向に回せば、針本体６２の引っ掛け構造６２３と接合部２１４’の係止部２１４３を離し、針本体６２を針押さえ６０の連接部６０１から取り外すことができる。なお、上記の移動軌道２１４２は斜面状であってもよい。
【００３９】
上記の針押さえ６０の連接部６０１は、針本体６２が針押さえ６０の連接部６０１に捻じれて固定されるためのネジ模様を含んでもよい。針本体６２の引っ掛け構造６２３と接合部２１４’の軌道２１４１は一対に限定されない。またその相対する位置は左右対称でも非対称でもよい。針本体６２の頂部は平坦な表面であってもよく、本発明ではこれを制限しない。
【００４０】
図１３から図１７では、本発明に基づいた実施例における針本体が自由に交換可能な安全注射器の構造図である。そのうち上記の実施例と同様の番号は同様の効果又は類似する効果を有する部品をあらわす。そのため後述部分でもし発明の部分とそれほど関連性が無い場合は、特許明細書では改めて解説しない。図１３を参照いただきたい。針本体６２の取っ手部６２１は針ホルダー６３０内に覆われ、注射針６２２は針ホルダー６３０前端の細孔６３１を通じて針ホルダー６３０外部に露出している。針ホルダー６３０の外側は引っ掛け構造６２３’一対を含む。針本体６２と針ホルダー６３０の両者は分離できる。
【００４１】
この実施図において、外筒２の前方端２１は接合部の構造を有していない。外筒２にある針ホルダー６３０固定用の引っ掛け構造６２３’の部分( 図４C)は、外筒２の前方端２１の内側へり部に直接設置される。その構造は図３C の上半部と同様であり、図１５は縦方向の断面図である。図１６〜図１７を参照いただきたい。使用者は針ホルダー６３０を握り針本体６２全体を一度に安全注射器に上向きに入れ込むことができる。針ホルダー６３０外側の引っ掛け構造６２３’は移動軌道２１４２’に沿って回転し係止部２１４３’内にはまり込み、針ホルダー６３０の位置を固定する。この時針ホルダー６３０の頂部は針押さえ６０の下方に密着し、針本体６２の頂部６２５は針押さえ６０の連接部６０１と互いに結合する。
【００４２】
この実施図では、針押さえ６０は針ホルダー６３０により支えられ、針押さえ６０は外筒２の前方端開口部２１０と規定の距離を維持する。そして反対方向に回転させれば針ホルダー６３０が取り出せ、針押さえ６０を繰り返し使用することでコスト削減になるのである。
【００４３】
図１８から図２０は、本発明に基づく更に別の実施例における針本体が交換可能な安全注射器をを示す図である。直前の実施例と異なる部分は、針ホルダー６３０が引っ掛け構造６２３’より上の部位で比較的短くなっていて、針本体６２の上半部は大多数が針ホルダー６３０外部に露出していることである。このようにして針ホルダー６３０の原料とコストを削減できるのである。この例では、引っ掛け構造６２３’を固定する設計( 図１５参照) 、針本体６２と針押さえ６０の連接部６０１の結合、及び針セット６回収時の運動方法は上記の実施例と同様である。そのためこれらについては、ここでは改めて解説しない。しかしこの技術に熟知した人ならば、針本体６２の安定性を増すため、実際の需要に基づき針ホルダー６３０の引っ掛け構造６２３’の寸法と数量を増加できる。
【００４４】
図２１から図２３にかけては、本発明に基づくまた更に別の実施例において交換可能な針本体を有している安全注射器を示す図である。そのうち上記の実施例と同様の番号表示は同様の機能と類似した構造の部品を有している。そのため後述部分でもし発明の部分とそれほど関連性が無い場合は、特許明細書では改めて解説しない。図２１を参照いただきたい。針本体６２は頂部６２５にネジ模様６２６及び漏斗状の凹形くぼみ構造６２４を有している。針本体６２の下端には注射針６２２を有している。図２２を参照いただきたい。針押さえ６０の連接部６０１は、針本体６２頂部６２５のネジ模様６２６と捻じり合いやすいようにネジ模様を含むこともできる。針本体６２はそのため針押さえ６０の連接部６０１に捻り止められるのである。この実施図では図２３に示すように、ネジをネジ穴に留め込む方式を用い、針本体６２を針押さえ６０内に留め入れこれと結合させる。そして後に針本体６２と針押さえ６０を可撓性閉鎖体８と共に内筒５の中空筒身５０内に入れ込ませるのである。
【００４５】
以上、数種類の針本体が交換可能な針セットとそれらに対応する安全注射器の設計を列挙した。そのうち針本体と針押さえは結合して針セットをなし、この針セットは本発明で提供する抗圧力構造に結合でき、低圧吸引力により抗圧力構造と共に内筒の中空筒身内に入り込める。
【００４６】
従来の注射器と比較すると、本発明である安全注射器を使うことで、医療関係者が手で針を回収して感染する危険にさらされないですむ。また本発明を先に述べたアメリカの特許と比較すると、低圧吸引の方式によりその他の物品( スプリング等) を消耗せずに引張力が生じることが分かる。まさに環境保護に立脚した実施方法と言えるだろう。また本発明の安全注射器は同時に各種の針セット構造に適応し、針本体が自由に交換でき、そのため毎回針が損傷を受けたら安全注射器全てを交換しなければならないという無意味な浪費が減少できるのである。本発明である安全注射器が比較的コスト削減になるばかりでなく、地球にも優しいもそのためである。
【図面の簡単な説明】
【００４７】
【図１】従来の技術に基づく注射器構造の簡単な表示図である。
【図２】それぞれ本発明の実施例が提供するもので、安全注射器の前後構造を組み立てる断面図である。
【図３】それぞれ本発明の実施例が提供するもので、安全注射器の前後構造を組み立てる断面図である。
【図４】本発明の実施例が提供する安全注射器であり、それぞれ注射、注射完了、及び針セット回収という各段階での部品の関連位置を示す図である。
【図５】本発明の実施例が提供する安全注射器であり、それぞれ注射、注射完了、及び針セット回収という各段階での部品の関連位置を示す図である。
【図６】本発明の実施例が提供する安全注射器であり、それぞれ注射、注射完了、及び針セット回収という各段階での部品の関連位置を示す図である。
【図７】本発明の実施例が提供する安全注射器であり、それぞれ注射、注射完了、及び針セット回収という各段階での部品の関連位置を示す図である。
【図８】本発明の次の実施例が提供するもので、針本体が自由に交換可能な安全注射器の各部品間の関連断面図である。
【図９】本発明の次の実施例が提供するもので、針本体が自由に交換可能な安全注射器の各部品間の関連断面図である。
【図１０】本発明の次の実施例が提供するもので、針本体が自由に交換可能な安全注射器の各部品間の関連断面図である。
【図１１】本発明の次の実施例が提供するもので、針本体が自由に交換可能な安全注射器の各部品間の関連断面図である。
【図１２】本発明の次の実施例が提供するもので、針本体が自由に交換可能な安全注射器の各部品間の関連断面図である。
【図１３】本発明の別の実施例が提供するもので、針本体が自由に交換可能な安全注射器の構造図である。
【図１４】本発明の別の実施例が提供するもので、針本体が自由に交換可能な安全注射器の構造図である。
【図１５】本発明の別の実施例が提供するもので、針本体が自由に交換可能な安全注射器の構造図である。
【図１６】本発明の別の実施例が提供するもので、針本体が自由に交換可能な安全注射器の構造図である。
【図１７】本発明の別の実施例が提供するもので、針本体が自由に交換可能な安全注射器の構造図である。
【図１８】本発明の更に別の実施例が提供するもので、針本体が交換可能な安全注射器を示す図である。
【図１９】本発明の更に別の実施例が提供するもので、針本体が交換可能な安全注射器を示す図である。
【図２０】本発明の更に別の実施例が提供するもので、針本体が交換可能な安全注射器を示す図である。
【図２１】本発明のまた更に別の実施例が提供するもので、針本体が交換可能な安全注射器を示す図である。
【図２２】本発明のまた更に別の実施例が提供するもので、針本体が交換可能な安全注射器を示す図である。
【図２３】本発明のまた更に別の実施例が提供するもので、針本体が交換可能な安全注射器を示す図である。
【符号の説明】
【００４８】
１０  従来の注射器
２、１００２  外筒
１００３  針セット
１００４  押し棒
１０２４  開口部
１０３０  針押さえ
１０３１  注射針
１０４３  可撓性ゴム栓部
２０  外筒の中空筒身
２１  外筒の前方端
２２  外筒の後方端
２１０  外筒の前方端開口部
２２０  外筒の後方端開口部
２１２  接合部の通じ穴
２１４、２１４’  接合部
２１４１  軌道
２１４２、２１４２’  移動軌道
２１４３、２１４３’  係止部
３  可撓性受け座
３１  可撓性受け座内部の通し孔
３２  可撓性受け座外周部の中間にある凹構造
３５  密閉型隙間
４  可撓性ピストン
４２  環状部
５  内筒
５０  内筒の中空筒身
５１  内筒の前端
５２  内筒の後端
５３  収縮部
５４  環状突出部
５１０  内筒の前端開口部
５２０  内筒の後端開口部
６  針セット
６０  針押さえ
６２  針本体
６３  針の頭部
６４  凹穴
６０１  針押さえの連接部
６２１  取っ手部
６２２  注射針
６２３、６２３’  引っ掛け構造
６２４  針本体頂部の凹形くぼみ構造
６２５  針本体６２の頂部
６２６  ネジ模様
６３０  針ホルダー
６３１  針本体前端の細孔
７  抗圧力構造
７１  連結部
７２  頭部
７３  ネック部
７４  分離部
８  可撓性閉鎖体
８１  可撓性閉鎖体の凹孔
９  上ブタ
【図１】
0004486947.tif 000002
【図２】
0004486947.tif 000003
【図３】
0004486947.tif 000004
【図４】
0004486947.tif 000005
【図５】
0004486947.tif 000006
【図６】
0004486947.tif 000007
【図７】
0004486947.tif 000008
【図８】
0004486947.tif 000009
【図９】
0004486947.tif 000010
【図１０】
0004486947.tif 000011
【図１１】
0004486947.tif 000012
【図１２】
0004486947.tif 000013
【図１３】
0004486947.tif 000014
【図１４】
0004486947.tif 000015
【図１５】
0004486947.tif 000016
【図１６】
0004486947.tif 000017
【図１７】
0004486947.tif 000018
【図１８】
0004486947.tif 000019
【図１９】
0004486947.tif 000020
【図２０】
0004486947.tif 000021
【図２１】
0004486947.tif 000022
【図２２】
0004486947.tif 000023
【図２３】
0004486947.tif 000024